(57)【要約】      （修正有）【課題】マイクロホン開口が確実に保護される補聴器を提供すること。【解決手段】補聴器６は、内室１６により形成される壁部１１を備えた閉鎖可能なハウジング１を有し、さらに内室内に配置されたマイクロホン２と、壁部内にあるマイクロホン開口１８とマイクロホンを保護するための保護部材２０を有する。ハウジングは少なくとも１つの音響入口開口１０を備えた音響チャネル８を有し、保護部材が音響チャネル内に配置される。【選択図】図３
2019088002.tif 000002
【特許請求の範囲】
【請求項１】
内室（１６）を形成する壁部（１１）を備えたハウジング（１）と、
前記内室（１６）に配置されたマイクロホン（２）と、
前記壁部（１１）に設けられたマイクロホン開口（１８）と、
前記マイクロホン（２）を保護するための保護部材（２０）を有する補聴器（６）であって、
前記ハウジング（１）が前記マイクロホン（２）に通じる少なくとも１つの音響入口開口（１０）を備えた音響チャネル（８）を有し、前記保護部材（２０）が前記音響チャネル（８）内に配置されることを特徴とする補聴器。
【請求項２】
前記保護部材（２０）がリバーシブル（reversibel）に交換できることを特徴とする請求項１記載の補聴器。
【請求項３】
前記音響チャネル（８）が前記ハウジングを貫通するとともに各端部側に１つの音響入口開口（１０）を有する音響チャネル（８）として形成され、前記音響チャネル（８）が前記壁部（１１）により形成されるとともに、前記マイクロホン開口（１８）を介して前記マイクロホン（２）に接続されることを特徴とする請求項２記載の補聴器。
【請求項４】
前記保護部材（２０）が弾性体で形成され、前記音響チャネル内にはめ込まれることによって、その弾性により保持されることを特徴とする請求項１から３のいずれか１項に記載の補聴器。
【請求項５】
前記保護部材（２０）が少なくとも一方の音響入口開口（１０）から隔離されて前記音響チャネル（８）内に配置されることを特徴とする請求項１から４のいずれか１項に記載の補聴器。
【請求項６】
前記保護部材（２０）が前記音響チャネル（８）内を貫通案内されることを特徴とする請求項１から５のいずれか１項に記載の補聴器。
【請求項７】
前記ハウジング（１）が閉鎖可能なハウジング（１）として形成され、前記ハウジング（１）が閉じられたときに、前記保護部材（２０）が前記音響入口開口（１０）の１つを介して前記音響チャネル（８）内に配置されることを特徴とする請求項１から６のいずれか１項に記載の補聴器。
【請求項８】
前記保護部材（２０）が工具（２４）による交換のため、前記音響チャネル（８）に出し入れできることを特徴とする請求項１から７のいずれか１項に記載の補聴器。
【請求項９】
前記保護部材（２０）が薄膜として形成されることを特徴とする請求項１から８のいずれか１項に記載の補聴器。
【請求項１０】
前記保護部材（２０）が疎水性および／または疎油性材料を有することを特徴とする請求項１から９のいずれか１項に記載の補聴器。
【請求項１１】
前記壁部（１１）が前記音響チャネル（８）を形成する内壁部分（１４）および外壁部分（１２）を有し、前記マイクロホン（２）と前記内壁部分（１４）との間にシール要素（２２）が配置されることを特徴とする請求項１から１０のいずれか１項に記載の補聴器。
【請求項１２】
前記シール要素（２２）が前記保護部材（２０）とは無関係にされることを特徴とする請求項１１載の補聴器。
【請求項１３】
付属品としての工具（２４）を有し、前記工具（２４）がグリップ部（２８）と保護部材（２０）を案内するための少なくとも１つの工具尖端部（２６）を有することを特徴とする補聴器。
【請求項１４】
少なくとも１つの工具尖端部（２６）がピン状に形成され、前記音響チャネル（８）内に挿入可能にされることを特徴とする請求項１３記載の補聴器。
【請求項１５】
異なる長さを有する２つの工具尖端部（２６、３０）が設けられることを特徴とする請求項１３または１４記載の補聴器。
【請求項１６】
耳掛け型補聴器（ＢＴＥ）として形成されることを特徴とする請求項１から１５の１つに記載の補聴器。
【発明の詳細な説明】
【技術分野】
【０００１】
本発明は補聴器、特に請求項１の上位概念に記載された耳掛け式補聴器に関する。
【背景技術】
【０００２】
補聴器は携帯可能な聴覚装置であり、一般に音響を送出するために形成されている。この場合音響とは一般に音楽および／または言語などの音響的信号を意味する。
【０００３】
聴覚装置とは一般に耳の内側または耳自体に携帯可能で音響的刺激を生じる機器、特にヘッドセット（受送話器）やヘッドホンなどを意味する。補聴器は特に聴覚補助機器として形成される。聴覚補助機器とは聴覚障害者や聴覚の衰えた人を助ける機器を意味し、これらの人は聴力の不足を補うために聴力補助機器を特に常時または多くの時間にわたり携帯している。
【０００４】
補聴器は原理的に主要な部品して入力変換器、増幅器および出力変換器を有する。入力変換器は通常は音響受信器、たとえばマイクロホンであるかおよび／または電磁受信器、たとえば誘導コイルである。出力変換器は大抵の場合電気音響変換器、たとえば小型スピーカーとして、または電気機械変換器、たとえば骨導受話器として実現される。増幅器は通常は信号処理ユニットに組み込まれる。その原理的な構成は図１に耳掛け式補聴器を例として示されている。耳掛け式補聴器のハウジング１には１つまたは複数のマイクロホン２が周囲から音響を拾うために組み込まれている。同様に補聴器ハウジング１に組み込まれている信号処理ユニット３はマイクロホン信号を処理しこれを増幅する。信号処理ユニット３の出力信号はスピーカーもしくは受話器４に伝送され、この受話器は音響信号を発信する。音響は場合によってはイヤーモールドで耳道に固定された音響管を介して補聴器携帯者の鼓膜に伝達される。補聴器のエネルギー供給、特に信号処理ユニット３のそれは同様に補聴器ハウジング１に組み込まれた電池５により行われる。
【０００５】
増幅すべき音響、たとえば補聴器携帯者の会話相手の声は一般に補聴器ハウジング内の１つまたは複数の音響開口を介してマイクロホンに達する。しかしこの種の音響開口を通って不所望な異物および／またはたとえば水および／または汗などの液体が補聴器の内部に特にマイクロホンに侵入する恐れがある。これはマイクロホンの損傷ばかりか補聴器の故障を生じ得る。
【０００６】
特許文献１には補聴器の開口を閉鎖する装置が開示されている。開口はたとえば音響は通すが湿気を拒否する薄膜を有するキャップで閉鎖されている。開口を閉鎖するためにキャップはたとえば開口にねじ止めされている。
【先行技術文献】
【特許文献】
【０００７】
【特許文献１】欧州特許出願公開第０３１０８６６号公報
【発明の概要】
【発明が解決しようとする課題】
【０００８】
本発明の課題は、開口、特にマイクロホン開口が確実に保護される補聴器を提供することにある。
【課題を解決するための手段】
【０００９】
この課題は本発明によれば、請求項１の特徴を有する補聴器により解決される。有利な実施形態やその発展および変形形態は従属請求項の対象である。
【００１０】
補聴器は一般に壁部により閉鎖可能なハウジングを有する。ここで閉鎖可能とは、ハウジングが特に一体すなわちモノリシックに形成されるのではなく、少なくとも２つの（ハウジング）部分を有し、ハウジングをたとえば電池交換および／または欠陥部品の交換のために開くことができることを意味する。壁部は主に補聴器の上述の個々の部品が配置されている内室を形成している。
【００１１】
また補聴器は、内室に配置されるマイクロホン並びに壁部にあるマイクロホン開口を有する。マイクロホンを特に不純物から保護するために、補聴器は保護部材を有する。この種の不純物はしばしばマイクロホン開口を介して内室に到達する。ここで不純物とは、主に異物、たとえば毛髪および／または水や汗などの湿気を意味する。
【００１２】
ハウジングはさらに少なくとも１つの音響入口開口を備えた音響チャネルを有する。音響チャネルは外側からマイクロホンに通じており、すなわちマイクロホン開口への音響接続を形成している。保護部材はマイクロホンを保護するために音響チャネル内に配置される。
【００１３】
このため保護部材は音響チャネルを好適には充填する。保護部材はこのため特にフレキシブルであり特に弾性に形成される。保護部材は特に音響チャネル内に嵌め込まれるように着座している。保護部材はそれゆえ音響チャネルの横断面に適合可能な横断面を有する。保護部材は、音響チャネルの内側寸法、特に内径と等しいかまたはこれより若干大きい外側寸法、すなわち円形の形状では外径を有する。
【００１４】
これによりマイクロホンを不純物から確実にかつ簡単に保護することができる。さらに保護部材は、たとえば汚れた指が直接接触するのを防ぎ、これにより生じる不純物からの保護を図る。たとえば異物または湿気の侵入の際にこれらは保護部材により抑止および／または吸収され、これによりマイクロホンが保護されるので、補聴器の寿命を延ばすことができる。
【００１５】
音響チャネル内に保護部材を配置することにより同時に本質的な利点として補聴器全体の高さが減ぜられる。なぜなら保護部材の配置のために既存の空間、すなわち音響チャネルが利用されるからである。換言すればハウジングの内室に保護部材用の特別な場所を設ける必要がなくなり、これによりハウジングしたがって補聴器全体の高さが減ぜられる。
【００１６】
有利な実施形態によれば保護部材はリバーシブル（reversibel）に交換可能にされる。特に保護部材は接着または機械的固定手段なしに保持される。保護部材は有利には容易に直接的に音響チャネル内に入れられ、たとえば上述のように音響チャネル内に嵌め込まれる。これにより一方では汚れた保護部材を新しい物への取り換えが簡単に実現される。他方では保護部材はしたがってコスト的に良好な付属品として製造可能であり、特に長寿命の高価な材料を使用しなくても済む。
【００１７】
合目的的には音響チャネルはハウジングを貫通する音響チャネルとして形成される。ここで貫通とは特に、音響チャネルがハウジングの一方の側から他方の側へたとえば孔の形でハウジング内を延びていることを意味する。この場合音響チャネルはそれぞれの端部側に１つの音響入口開口を有しており、音響チャネルは壁部により形成される。音響入口開口および音響チャネルを介して音響はマイクロホンに到達する。このためマイクロホンはマイクロホン開口を介して音響チャネルと接続される。
【００１８】
マイクロホン開口は音響チャネルと直交するようにすれば、保護部材は音響チャネル内に挿入状態においてマイクロホン開口の前に配置できるので有利である。保護部材は音響チャネルの長さの３分の１に相当する長さを有すると有利である。
【００１９】
音響入口開口をハウジングの相対向する側壁にそれぞれ配置し、一方の側壁が補聴器を耳に掛けた状態で頭部に向き合うようにすると有利である。即ち耳に掛けた状態では音響チャネルは頭皮に対してほぼ垂直に向くことになる。これによりたとえば毛髪などの不純物の侵入が少なくとも減ぜられる。
【００２０】
それぞれ端部側にある音響入口開口により一方では保護部材の簡単な交換が保証される。他方では両側の音響入口開口によりマイクロホンの十分な「音取り」が保証される。
【００２１】
合目的的には保護部材は音響チャネル内で両側の音響入口開口から隔離して配置され、これによりたとえば使用者の指による接触からの保護が保証される。すなわち保護部材は有利には音響チャネルの中央の３分の１のところに配置され、これにより保護部材は挿入状態でたとえば音響チャネルの長さの３分の１だけ音響入口開口から隔離されて音響チャネル内に配置される。これによりさらに特にたとえば使用者の指に保護部材が接触することによる汚れが防げる。
【００２２】
交換を簡単にするため保護部材は有利な実施形態では音響チャネルを貫通案内可能にされる。したがって使用者がたとえば使用済みの保護部材を音響チャネルの音響入口開口から押し出して新しい保護部材を他方の音響入口開口から押し込むことにより、交換を使用者により簡単にかつ迅速に行うことができる。
【００２３】
ハウジングは好適には閉鎖可能なハウジングとして形成される。有利な実施形態によれば、保護部材はハウジングが閉じられた際に一方の音響入口開口を介して音響チャネルに配置可能、特に押し込み可能にされる。この実施形態の利点は使用者にとって好ましいことである。すなわち一方ではハウジングが閉じられると補聴器の部品が保護部材の交換の際に損傷を受けたりおよび／または失われたりすることを防げる。他方ではこれにより保護部材を交換するのにたとえば音響専門家などの当業者が必要とされない。
【００２４】
保護部材は交換のため工具により音響チャネルに出し入れできるようにすると有利である。このため使用済みの保護部材がたとえば工具により音響チャネルから押し出され、続いて新しい保護部材が工具により音響チャネルに押し込まれてマイクロホン開口の前に配置される。
【００２５】
音響の通過性を形成するために保護部材は特に音響を通す薄膜として形成される。特に保護部材は薄膜から形成される。これにより一方では異物および／または湿気に対する十分な保護作用が形成され、他方では上述の音響通過性が補聴器の機能に影響を与えないように形成される。代替的に保護部材は格子として形成される。
【００２６】
一般に保護部材は特に直方体や円筒のような形を有する。これにより保護部材は音響チャネルの内側輪郭に極めて良好に適合される。一般に保護部材は音響チャネルと同じ横断面を有する。
【００２７】
保護部材の上述のような音響チャネルへの締め付けを保証するために、保護部材は外側寸法特に直径が音響チャネルの内側寸法よりも若干大きくされると有利である。ここで外側寸法が若干大きいとは、特に外側寸法が音響チャネルの内側寸法よりも１０％〜２０％だけ、たとえば０．５ｍｍ〜１．５ｍｍの範囲の値だけ大きいことを意味する。
【００２８】
保護部材はその弾性特性により自動的に嵌め込まれると好適である。音響チャネル内に保護部材を嵌め込むことを保証する特別の手段は不要である。
【００２９】
合目的的な実施形態によれば、保護部材は疎水性および／または疎油性の材料を有する。代替的に保護部材はこのような材料から形成される。これにより保護部材は水および／または油を撥ね付けるように形成され、ハウジングへの湿気および／または汗の侵入が効果的に妨げられる。
【００３０】
壁部は内壁部分と外壁部分とを有するようにし、これらの間に音響チャネルが形成されると有利である。すなわち、音響チャネルは内壁部分と外壁部分とにより形成される。換言すれば内壁は補聴器の部品、特にマイクロホンが配置されている内室部分を音響チャネルから隔離している。外壁はこの場合音響チャネルの「第２の境界」を形成している。内壁はさらに穴の形をした空所を有しており、これがマイクロホン開口を形成している。内壁とマイクロホンとの間にシール要素が配置されると有利である。シール要素は好適には内室からの音響に対してマイクロホンをさらに密閉する働きをする。
【００３１】
ここで重要なことは、シール要素が好適には保護部材とは無関係であることである。すなわちシール要素と保護部材は補聴器の２つの別個の部品であり、したがってたとえば保護部材を組み込むのに高価にして複雑なシール要素を不要とすることができる。さらにこれによりハウジングの高さはより減ぜられることになる。なぜなら、保護部材を組み込んだシール要素は保護部材を組み込まない本発明によるシール要素よりも高さが大きくなるからである。
【００３２】
合目的的には補聴器は付属品として工具を有する。この工具はグリップ部並びに少なくとも１つの工具尖端部を有する。グリップ部は保護部材を交換する際に使用者が工具を掴むのに用いられる。工具尖端部は保護部材を音響チャネルの内部に配置する際に案内の役割をする。この利点は、これにより保護部材の簡単な交換が可能となることにある。
【００３３】
有利な実施形態によれば、少なくとも一方の工具尖端部がピン状に形成され、これにより特に保護部材の配置のため音響チャネルへの押し込みが可能とされる。ここでピン状とは、工具尖端部が好適にはグリップ部よりも直径が１０倍小さいことを意味する。特に工具尖端部は製造上の若干の許容誤差を除き音響チャネルと同じ直径を有する。これにより工具特に工具尖端部を簡単に音響チャネルに押し込むことができる。
【００３４】
別の有利な実施形態によれば、工具はそれぞれ異なる長さを有する２つの工具尖端部を有する。この実施形態には、長い方の第１の工具尖端部により使用済みの保護部材を音響チャネルから押し出し、短い方の第２の工具尖端部により新しい保護部材を音響チャネルに押し込むことができるという考えが根底にある。ここで重要なことは、第１の長い方の工具尖端部が好適には少なくとも音響チャネルの長さの３分の２の長さを有することである。これにより保護部材は、使用者が第１の工具尖端部を一方の音響入口開口に挿入すると、他方の音響入口開口から押し出されることが保証される。これと同様に重要なことは、第２の短い方の工具尖端部が好適には音響チャネルの長さの３分の１に相当する長さを最大で有することである。保護部材を音響チャネルに押し込むときに保護部材はしたがって、第２の工具尖端部がストップするまで音響チャネルに押し込まれると正確にマイクロホン開口の上に配置される。
【００３５】
これにより音響チャネルにおける保護部材の簡単な交換と簡単な配置が可能となる。
【００３６】
有利な実施形態によれば補聴器は耳掛け式補聴器として形成される。
【００３７】
本発明の一実施例を以下に図面により詳細に説明する。図面は部分的に極めて簡略化して示されている。
【図面の簡単な説明】
【００３８】
【図１】図１は従来技術による補聴器の縦断面図である。
【図２】図２は保護部材を付加的に挿入するための音響チャネルを備えた本発明による補聴器の縦断面図である。
【図３】図３は音響チャネル内に配置された保護部材を備えた補聴器の図２のＡ−Ａ切断線による横断面図である。
【図４】図４は保護部材を押し出すために工具が音響チャネル内に挿入された補聴器の図２のＡ−Ａ切断線による横断面図である。
【図５】図５は保護部材を押し込むために工具が音響チャネルに挿入された補聴器の図２のＡ−Ａ切断線による横断面図である。
【００３９】
各図において同一機能の部材は同一の符号で示されている。
【発明を実施するための形態】
【００４０】
図２に示した補聴器６は図１に示した補聴器の機能に必要なすべての部品１、２、３、４、５を有している。図２の補聴器は耳掛け型補聴器として形成されている。補聴器ハウジング１、略してハウジング１は音響チャネル８を有しており、音響チャネル８はこの実施例ではハウジング１を貫通しており、両側にそれぞれ１つの音響入口開口１０を有している。音響チャネル８はハウジング１の外壁部分１２および内壁部分１４により形成されている。この実施例では音響チャネル８は補聴器６が耳に掛けられた状態で使用者の頭皮１５にほぼ垂直に向くようにハウジング１を貫通している。従って音響入口開口１０はそれぞれハウジング１の側面に配置されている。これにより特に、使用者の毛髪が容易に音響チャネル８に入って補聴器６の機能を阻害することが回避される。
【００４１】
この実施例では補聴器６、特にハウジング１は、補聴器の各部品２、３、４、５が配置され壁部１１により形成されている内室１６（図３参照）を有している。内室１６は内壁部分１４により音響チャネル８から区切られている。この実施例ではマイクロホン２は、内壁部分１４へのマイクロホン開口１８（図３参照、有利には穴の形をとる）を介して音響を受けるため音響チャネル８と接続されるように、内室１６内に配置されている。換言すればマイクロホン２は、音響が音響チャネル８とマイクロホン開口１８を介してマイクロホン２に到達するように、内室１６内に配置および方向付けられている。
【００４２】
図３は図２のＡ−Ａ切断線による横断面図である。この実施例では音響チャネル８内に保護部材２０が配置されている。保護部材２０はマイクロホン２を異物およびたとえば湿気などの不純物から保護する働きをする。保護部材２０は挿入状態（図３参照）ではマイクロホン開口１８を閉鎖して上述のように異物または不純物の侵入を防ぐように配置されている。音響を通過させるために保護部材２０は薄膜または格子として形成され、疎水性および／または疎油性の材料を有するかまたはこのような材料から形成されている。保護部材２０を格子として形成する考えには、保護部材２０を音響チャネル８の中に押し込みそこから押し出すのに十分に「硬い」だけの硬度を有するとともに、音響をマイクロホン２に通過させるのに十分に「柔らかい」したがって十分な通過性を有するようにすることが根底にある。この実施例では保護部材２０は音響チャネル８の内側輪郭に合わせられるとともに同じ横断面輪郭を有するようにされ、これにより一方では音響チャネル８に高い適合性を有するとともに他方では特に付属品としての製造を助成するように作りやすい形を有するようにされる。この場合保護部材２０はたとえば円筒状または直方体状に形成される。好適には保護部材の音響チャネル８の方向の長さはマイクロホン開口１８よりもたとえば少なくとも２倍または少なくとも３倍大きくされる。
【００４３】
音響チャネル８の長手方向、したがって保護部材２０の長手方向は、マイクロホン開口１８の面法線に直角であると有利である。保護部材２０は一般にマイクロホン開口１８に直角に方向付けられる。
【００４４】
保護部材２０は、保護作用を高めるために若干のたとえば製造上の許容誤差を除き音響チャネル８と同じ直径Ｄを有する。
【００４５】
この実施例では内壁部分１４、特にマイクロホン開口１８とマイクロホン２との間にシール要素２２が配置される。シール要素２２は内室１６からの音響に対してマイクロホン開口１８を付加的に密閉する働きをする。
【００４６】
図４は音響チャネル８に挿入された工具２４、特に工具２４の音響チャネル８に挿入された第１の工具尖端部２６を示す。工具２４は保護部材２０を音響チャネル８から交換するのに用いられる。このためたとえば第１のピン状の工具尖端部２６は一方の音響入口開口１０を介して音響チャネル８に導入され、貫通している音響入口開口１０の反対側の音響入口開口１０を介して保護部材２０を「押し出す」ようにされる。続いて保護部材２０はたとえば手により完全に音響チャネル８から取り出されて除去される。工具２４の良好な操作のために、工具は第１の工具尖端部２６のほかに付加的にグリップ部２８を有する。
【００４７】
第１の工具尖端部２６による保護部材２０の十分な「押し出し」を保証するために、工具尖端部２６は少なくとも音響チャネル８の長さＬの３分の２に相当する長さを有するようにされる。
【００４８】
新しい保護部材２０を音響チャネル８に「押し込む」ためには、工具２４はこの実施例では図５に示すように第２のピン状の工具尖端部３０を有する。
【００４９】
工具尖端部２６、３０はそれぞれグリップ部２８の（端部）側に配置されているので、使用者は保護部材２０を押し出すか押し込むかに応じて工具を単に回転させるだけでよい。
【００５０】
音響チャネル８への押し込みには使用者は保護部材２０をたとえば一方の音響入口開口１０の前に置き、続いてこの保護部材を第２の工具尖端部３０により音響チャネル８の中に「押し込む」。２つの工具尖端部２６、３０による工具２４の形成は、第２の工具尖端部３０がたとえば音響チャネル８の長さＬの３分の１に相当する長さを有するようにすると好適であることが判明している。このようにすれば簡単に、保護部材２０が挿入/押し込み状態で常にマイクロホン開口１８の前に配置されることが保証される。換言すれば使用者は保護部材２０を工具２４によりたとえばグリップ部２８がハウジング１に当接するまでの長さだけ音響チャネル８に押し込む。第２の工具尖端部３０の有利に選ばれた長さにもとづき、保護部材２０はそのときにマイクロホン入口開口１８の前に配置され、使用者が保護部材２０を過度に音響チャネル８に押し込むおそれはなくなる。代替的に工具２４は１つの工具尖端部だけを有することもできる。
【００５１】
本発明は上述の実施例に限定されるものではない。むしろ当業者は発明の対象を逸脱することなくほかの実施形態を考案することができる。特に実施例との関連で記載された個々の特徴はすべて発明の対象を逸脱すること無く別のやり方で互いに組み合わせることもできる。
【符号の説明】
【００５２】
１    補聴器ハウジング
２    マイクロホン
３    信号処理ユニット
４    受話器
５    電池
６    補聴器
８    音響チャネル
１０  音響入口開口
１１  壁部
１２  外壁部分
１４  内壁部分
１５  使用者の頭皮
１６  内室
１８  マイクロホン開口
２０  保護部材
２２  シール要素
２４  工具
２６  第１の工具尖端部
２８  グリップ部
３０  第２の工具尖端部
Ｄ    音響チャネルの直径
Ｌ    音響チャネルの長さ
【図１】
2019088002.tif 000003
【図２】
2019088002.tif 000004
【図３】
2019088002.tif 000005
【図４】
2019088002.tif 000006
【図５】
2019088002.tif 000007
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
内室（１６）を形成する壁部（１１）を備えたハウジング（１）と、
前記内室（１６）に配置されたマイクロホン（２）と、
前記壁部（１１）に設けられたマイクロホン開口（１８）と、
前記マイクロホン（２）を保護するための保護部材（２０）を有する補聴器（６）であって、
前記ハウジング（１）が前記マイクロホン（２）に通じる少なくとも１つの音響入口開口（１０）を備えた音響チャネル（８）を有し、前記保護部材（２０）が前記音響チャネル（８）内に配置されることを特徴とする補聴器。
【請求項２】
前記保護部材（２０）がリバーシブル（reversibel）に交換できることを特徴とする請求項１記載の補聴器。
【請求項３】
前記音響チャネル（８）が前記ハウジングを貫通するとともに各端部側に１つの音響入口開口（１０）を有する音響チャネル（８）として形成され、前記音響チャネル（８）が前記壁部（１１）により形成されるとともに、前記マイクロホン開口（１８）を介して前記マイクロホン（２）に接続されることを特徴とする請求項２記載の補聴器。
【請求項４】
前記保護部材（２０）が弾性体で形成され、前記音響チャネル内にはめ込まれることによって、その弾性により保持されることを特徴とする請求項１から３のいずれか１項に記載の補聴器。
【請求項５】
前記保護部材（２０）が少なくとも一方の音響入口開口（１０）から隔離されて前記音響チャネル（８）内に配置されることを特徴とする請求項１から４のいずれか１項に記載の補聴器。
【請求項６】
前記保護部材（２０）を、前記音響チャネル（８）を貫通して案内することができることを特徴とする請求項１から５のいずれか１項に記載の補聴器。
【請求項７】
前記ハウジング（１）が閉鎖可能なハウジング（１）として形成され、前記ハウジング（１）が閉じられたときに、前記保護部材（２０）が前記音響入口開口（１０）の１つを介して前記音響チャネル（８）内に配置されることを特徴とする請求項１から６のいずれか１項に記載の補聴器。
【請求項８】
前記保護部材（２０）が工具（２４）による交換のため、前記音響チャネル（８）に出し入れできることを特徴とする請求項１から７のいずれか１項に記載の補聴器。
【請求項９】
前記保護部材（２０）が薄膜として形成されることを特徴とする請求項１から８のいずれか１項に記載の補聴器。
【請求項１０】
前記保護部材（２０）が疎水性材料および疎油性材料の少なくとも一方を有することを特徴とする請求項１から９のいずれか１項に記載の補聴器。
【請求項１１】
前記壁部（１１）が前記音響チャネル（８）を形成する内壁部分（１４）および外壁部分（１２）を有し、前記マイクロホン（２）と前記内壁部分（１４）との間にシール要素（２２）が配置されることを特徴とする請求項１から１０のいずれか１項に記載の補聴器。
【請求項１２】
前記シール要素（２２）が前記保護部材（２０）とは無関係にされることを特徴とする請求項１１載の補聴器。
【請求項１３】
付属品としての工具（２４）を有し、前記工具（２４）が、グリップ部（２８）と、保護部材（２０）を案内するための少なくとも１つの工具尖端部（２６）を有することを特徴とする補聴器。
【請求項１４】
少なくとも１つの工具尖端部（２６）がピン状に形成され、前記音響チャネル（８）内に挿入可能にされることを特徴とする請求項１３記載の補聴器。
【請求項１５】
異なる長さを有する２つの工具尖端部（２６、３０）が設けられることを特徴とする請求項１３または１４記載の補聴器。
【請求項１６】
耳掛け型補聴器（ＢＴＥ）として形成されることを特徴とする請求項１から１５のいずれか１項に記載の補聴器。
【外国語明細書】
2019088002000001.pdf